(57)【要約】【課題】汚れが付き難く、たとえ汚れが付いても洗濯により落ちやすく、そして長期間繰り返し使用できる衛生キャップを提供する。【解決手段】少なくとも頭部を覆う衛生キャップにおいて、顔を主とした肌に接触する部分に開繊表面を有する布帛を設けた。開繊表面を有する布帛はストレッチバック性が付与される。【選択図】図１０
2020143392.tif 000002
【特許請求の範囲】
【請求項１】
少なくとも頭部を覆う衛生キャップにおいて、顔を主とした肌に接触する部分に開繊表面を有する布帛を設けたことを特徴とする衛生キャップ
【請求項２】
開繊表面を有する布帛はストレッチバック性が付与された請求項１記載の衛生キャップ。
【請求項３】
少なくとも頭部を覆う衛生キャップにおいて、顔を主とした肌に接触する部分に防汚加工したストレッチバック性が付与された布帛を用いたことを特徴とする衛生キャップ
【請求項４】
ストレッチバック性のある布帛は、開繊表面を有する請求項３記載の衛生キャップ。
【発明の詳細な説明】
【技術分野】
【０００１】
本発明は食品、化粧品、医薬品、半導体などのクリーンルームや店舗などで使用する作業用衛生キャップに係り、皮脂や化粧品などの汚れが付き難く、また付着しても洗濯で落ち易い衛生キャップに関するものである。
【背景技術】
【０００２】
化粧品、医薬品、半導体などのクリーンルームで働く作業者は、自らの頭髪、塵埃などが落下してクリーンルームを汚染しないように、また製品を汚染しないように、布帛でできた図１や図２に示すインナー衛生キャップを被ることが一般的である。インナー衛生キャップの一例は特許文献１に示される。図中、１はインナー衛生キャップの全体、２はその頭部、３は顔周囲部、４は首部である。さらに確実性のために、その上に布帛でできた図３に示すアウター衛生キャップを被るという二重のキャップ着用が行なわれている。アウター衛生キャップの一例は特許文献２に示される。図３において、５はアウター衛生キャップ全体、６はその頭部、７は庇部、８は顔周囲部、９は首部である。
【０００３】
また、百貨店などの食品店舗で使用する衛生キャップとしては、図４、図５に示すようなファッション性を考慮した簡易な衛生キャップが使用されることが多い。図４中、１１は店舗用衛生キャップ全体、１２はその頭部、１３はその額部である。また、図５中、１４は店舗用キャスティング帽全体、１５はその頭部、１６はその額部、１７は庇部である。
【０００４】
これらのキャップは使用条件下で、キャップと顔との間隙から頭髪や塵埃などが落下しないようにキャップの顔周辺部分は顔や肌に密着するようにする。このため顔や肌と密着して接触するキャップ部分には、皮脂や化粧品などが付着して汚れとなり生産上や衛生上、また外観上の問題を生じる。このため定期的に洗濯して汚れを落し、清浄化して再使用される。しかし、長期間繰り返し使用されると、汚れが少しずつ定着し、洗濯後も完全に落ちない状態となり、製品汚染、作業者への衛生問題、不快感などを与える。したがって、長期間使用した場合に洗濯しても汚れが落ちないキャップは新しいキャップに交換する必要がある。特に、汚れがひどい職場では短期間の交換が経営上の問題となる場合もある。
【先行技術文献】
【特許文献】
【０００５】
【特許文献１】特開２００５−１７１４４１
【特許文献２】特開２０１８−１５９１５２
【発明の概要】
【発明が解決しようとする課題】
【０００６】
上記のように、従来の衛生キャップでは、顔など肌と接触するキャップ部分は吸汗、感触、密着性などから布帛で構成されている。この布帛は一例として図６の側断面拡大図で示すように、交差する繊維束Ａ−１８、繊維束Ｂ−１９は、繊維Ａ−２０、繊維Ｂ−２１を複数本収束して撚られたもの（即ち糸）であり、これらによって編物や織物などの布帛を構成する。繊維束Ａ−１８、繊維束Ｂ−１９は、素材、太さや本数などの構成が異なる場合、また同一の場合もある。付着する皮脂や化粧品の汚れ２２は、図７に示す布帛の繊維束Ａ−１８、繊維束Ｂ−１９の表面に付着するだけでなく、図８に示すように汚れ２３は繊維束Ａ−１８、繊維束Ｂ−１９を構成する繊維Ａ−２０、繊維Ｂ−２１の繊維間に入り込んで付着する。そして、実際に着用して作業などを行った場合には、図７と図８に示す両者の汚れ２２、および２３が混在した付着となる。なお、本明細書で「布帛」には、織物、編物などを広く含み、不織布も含まれるものとする。
【０００７】
このように汚れたキャップを洗剤を用いて洗濯した場合、図７のごとく布帛表面、即ち繊維束Ａ−１８、繊維束Ｂ−１９の表面についた汚れ２２は比較的落し易い。しかしながら、図８ごとく布帛を構成する繊維束Ａ−１８、繊維束Ｂ−１９の繊維間に入り込んだ汚れ２３は、洗剤を使用した洗濯でも洗い落とすことは困難である。このため、キャップの着用と洗濯を繰り返して行うと、徐々に汚れが繊維束Ａ−１８と繊維束Ｂ−１９の繊維間に主に蓄積されることになる。特に化粧品であるファンデーションや眉墨に含まれる色素粒子や無機粒子のようなものは繊維束の繊維間に徐々に蓄積されて落ち難くなる。このように蓄積汚れがひどくなると、製品への２次汚染、あるいは衛生面における問題や外観上の問題などを引き起こすので、新しいキャップに交換することが要求される。そこで、本発明は汚れが付き難く、たとえ汚れが付いても洗濯により落ちやすく、そして長期間繰り返し使用できる衛生キャップを提供するものである。
【課題を解決するための手段】
【０００８】
上述した目的を達成するために本発明では、頭部を覆う衛生キャップにおいて、顔や肌と接触するキャップ部分に開繊表面を有する布帛を設けるという手段を用いた。また、顔など肌と接触する衛生キャップの部分に防汚加工が設けられた布帛を用いるという手段を利用した。開繊表面を有する布帛を設けることと、防汚加工が設けられた布帛を用いることの双方を備えることも本発明の範囲に含まれる。本発明において開繊表面を有する布帛とは、切断した立毛繊維またはループ状立毛繊維、及び両方が表面に出現する布帛のことをいうものとする。このように構成することによって、汚れは布帛の開繊表面に付着することになり、布帛表面に直接付着することを軽減する。
【０００９】
さらに、開繊表面を有する布帛として、ストレッチバック性が付与された布帛を採用することとした。ストレッチバック性がある布帛は、装着者の顔や頭部の形状への追随性が優れている。
【発明の効果】
【００１０】
本発明の衛生キャップは、装着者から生じる汚れや外部から付着する汚れに対して、耐汚性が高く、洗濯した場合には従来の衛生キャップと比較すると汚れ落ちに優れている。したがって、多数回の使用に耐えるので、総合的に衛生キャップに要するコストを削減することができる。
【図面の簡単な説明】
【００１１】
【図１】インナーキャップを装着した概略図
【図２】眉毛覆いが設けられたインナーキャップを装着した概略図
【図３】アウターキャップを装着した概略図
【図４】店舗用キャップを装着した概略図
【図５】店舗用キャスティング帽を装着した概略図
【図６】一般的な布帛の表面を示した側面図
【図７】汚れが一般的な布帛の表面に付いたときの側断面拡大図
【図８】汚れが一般的な布帛の内部に付いたときの側断面拡大図
【図９】本発明の一実施例の開繊表面をもつ布帛の側断面拡大図
【図１０】同、汚れが開繊表面に付いた布帛の側断面拡大図
【図１１】同、汚れが防汚加工した一般的な布帛に付いたときの側断面拡大図
【図１２】同、汚れが防汚加工した開繊表面をもつ布帛に付いた側断面拡大図
【発明を実施するための形態】
【００１２】
以下、本発明の実施形態を添付した図面に従って説明する。まず本発明において用いる布帛を図９に示す。この布帛の基本的な構造は図６に示した一般的な布帛と変わるところはなく、繊維束Ａ−１８と繊維束Ｂ−１９によって構成され、それぞれは繊維Ａ−２０と繊維Ｂ−２１によって構成される編物を例示している。これらを構成する繊維の断面形状については、特に問うものではない。そして、本発明における布帛は開繊表面を有しており、この開繊表面は、切断した立毛繊維２４またはループ状立毛繊維２５、及び両方の繊維で構成されたものである。開繊表面とは、繊維束Ａ−１８と繊維束Ｂ−１９の表面で一本一本分離して立毛開繊したものが好ましいが、ところどこに収束した繊維があっても本発明の作用効果を妨げるものではない。これらの布帛の開繊表面の状態は製造方法や雰囲気温度、雰囲気湿度によって異なる。なお、図９に示した布帛の開繊表面は起毛機を用いて得られたもので、起毛針の形状、起毛針と布帛との距離、起毛針の回転回数など種々の条件により異なるが、得られた布帛の表面はいずれも本発明の開繊表面の概念に含まれる。例えば、サンドペーパーで開繊させたり、ウオータージェットの噴射流で処理したり、布帛の表面繊維をカットして開繊させたり、開繊した立毛繊維の長さを調整するため焼いたり、カットしたりなど色々な製法があり、それにより開繊状態は異なる。また、これらの機械的方法とは異なり、開繊表面を持つ糸、即ち切断した立毛繊維、ループ状立毛繊維、毛羽を有する繊維を持つ繊維束（即ち糸）で、編物や織物などを製造して布帛とすることでも得られる。もちろんこれらを併用しても得られる。また、不織布でも立毛繊維化すれば本発明の開繊表面となる。
【００１３】
また、布帛を防汚加工して、汚れが付き難く、洗濯により落ちやすくする。防汚加工は、親水性ポリエステル樹脂、ポリオキシエチレン付加親水性ポリエステル樹脂、親水性フッ素樹脂、ポリオキシエチレン付加フッ素系樹脂、フッ素系撥水撥油剤、シリコーン系撥水撥油剤など肌アレルギーを起こさない薬剤を使用して、布帛に付着させ、あるいは固着加工をする。加工する布帛には、開繊表面を有する布帛や開繊表面を有しない布帛の何れも用いることができる。
【００１４】
これらの布帛は、衛生キャップにおいて特に肌と接触する部分に使用される。具体的には図１、図２に示すインナー衛生キャップの顔周囲部３や首部４、図３に示すアウター衛生キャップの顔周囲部８や首部９などに使用される。店舗で使用される図４の衛生キャップでは、額部１３で使用され、同じく店舗で使用される図５のキャップでは、額部１６の表裏地または表地の裏側に装着される。勿論、キャップ全体に本発明で採用する布帛を使用しても本発明の基本的な思想を妨げるものではない。この布帛は肌との密着性を上げるためストレッチバック性があるのが好ましい。ストレッチバック性は、ＪＩＳ  Ｌ１０９６  Ｄ法で２５％定伸張時の回復率として８０％以上が好ましい。また、使用する布帛の幅は衛生キャップの形状により適宜変更される。
【００１５】
図１０は開繊表面を有する本発明の布帛に汚れが付着した様子を示す。立毛繊維２４、２５が繊維束Ａ−１８、および繊維束Ｂ−１９の周囲を覆う状態で存在することになるので、汚れ２６はこれらの間隙よりも大きく、その結果、布帛表面の開繊した立毛繊維２４、２５に付着して、繊維束Ａ−１８、繊維束Ｂ−１９の内部までは入り込まない。また、図１０の繊維束上の開繊表面は繊維の多くが細かく分かれて立毛しているので、着用者の肌に対してソフトに軽く接触する。このため肌に付着した皮脂や化粧品などを、従来例として比較のために示した図６にあるような開繊表面を有しない硬い繊維束Ａ−１８、繊維束Ｂ−１９で削り取るような大きな力が働かず、汚れの発生も抑制される。このため、図１０に示すように僅かな汚れ２６しか付着しない。また、汚れ２６も開繊した繊維２４、２５に付着して繊維間内部まで入り込むことはない。さらに、このような開繊した立毛繊維２４、２５への弱い浮いた状態の付着であるので、洗濯により付着した汚れは容易に落とすことができる。
【００１６】
このような効果を得るために開繊表面の立毛繊維の素材、太さ、高さ、密度は重要である。立毛繊維の素材は、ポリエステル、ナイロン、レーヨン、アクリルなどの化学繊維、綿、ウール、麻など天然繊維が使用可能である。化学繊維と天然繊維の混繊でも可能である。太さは柔らかさから２０ｄｔｅｘ以下が好ましく、実用では０．０５〜１０ｄｔｅｘが使用される。立毛繊維高さｈは、図９に示すように布帛表面である繊維束表面から０．１ｍｍ以上で、好ましくは０．３〜５ｍｍである。立毛繊維密度は繊維太さに依存して、細い繊維であれば多くなり、太い繊維であれば少なくなる。一般には２０本／ｍｍ２以上が好ましく、通常は４０本〜３００本／ｍｍ２の範囲で決定する。立毛繊維密度とは、開繊表面１ｍｍ角と高さｈ内に存在する立毛繊維本数である。測定は開繊表面１ｍｍ角に存在する立毛繊維を色付けして顕微鏡で本数を数える。なお、本発明において開繊表面を有する布帛における繊維の断面形状は、特に限定するものではない。
【００１７】
また、防汚加工した布帛を同様に衛生キャップの肌と接触する部分に用いた場合は、図１１に示すような防汚加工効果により繊維束Ａ−１８、および繊維束Ｂ−１９の表面付着が多く、繊維束の繊維間内部に付着する汚れも少ない。このため、洗濯によって清浄化される。さらに、図１２に示すように開繊表面を有する布帛に防汚加工したものを衛生キャップの肌に接する部分に用いたものは、汚れがさらに付き難く、付いた少ない汚れ２６も開繊した立毛繊維２４、２５に付着し、繊維束Ａ−１８、および繊維束Ｂ−１９の繊維間に入ることはないので洗濯で落とし易くなる。特に、開繊表面をもつ布帛は、洗濯の繰り返しにより立毛繊維の分離開繊が進んで、汚れが付きにくく、かつ落ちやすくなる傾向にある。この傾向は、防汚加工との併用でさらに認められる。
【００１８】
以下、本発明に係る汚れが付き難く、洗濯によって汚れが落ち易い衛生キャップについて、いくつかのこのましい実施態様を説明するが、基本的な衛生キャップの構成については、従来例として示した図１〜図５と変わるところはなく、これらの構成に対して必要な部分に本発明の開繊表面を有する布帛を採用する。
【００１９】
（実施例１）
図１に示す基本形態の衛生キャップとして、インナー衛生キャップ頭部２にポリエステルネットと通気性のある綿織物を使用した。インナー衛生キャップの顔円周部３と首部４にストレッチバック性のある図９に示すような開繊表面もつ編物を用いた。この編物はポリエステエスル繊維束８４ｄｔｅｘ、７２ｆｉｌで構成され、ウレタン繊維は３３ｄｔｅｘである。ゲージ数は２８、ウエール４８、コース６８の丸編物である。目付は１４０ｇ／ｍ２で、開繊表面は起毛機によりウレタン繊維を切断しないようにポリエステル繊維束を起毛して製造した。開繊表面はループ状立毛繊維がほとんどで、わずかであるが切断した立毛繊維も確認した。開繊表面の立毛繊維高さは０．２〜１ｍｍあり、平均０．５ｍｍ、立毛繊維太さは約１．２ｄｔｅｘ、立毛密度は４０本／ｍｍ２であった。ストレッチバック性は９９％であった。繊維の断面は丸形状である。この編物を顔円周部３と首部４用いた。顔周辺部３にはこの編物を２つ折りにして開繊表面が表になるようにし、幅３ｃｍで短冊状に構成して使用した。
【００２０】
この実施例の衛生キャップを作業女性が１日７時間で２日間着用した。着用後の顔円周部３と首部４へのファンデーションなど化粧品などの汚れは僅かであった。汚れは立毛繊維２４、２５の部分に限られ、繊維束Ａ−１８、および繊維束Ｂ−１９には汚れは付着していなかった。これを家庭洗濯機で洗剤を用いて洗濯して乾燥した結果、汚れをきれいに落とすことができた。この着用と洗濯の繰り返しを１０回行ったが、汚れは蓄積することなくきれいに落とすことができた。
【００２１】
比較のために、頭部２には同じ布帛で、顔円周部３と首部４には開繊表面を持たない起毛前の同じ設計の編物を用いた衛生キャップについて実施例で示したと同一条件にて２日間の着用をした。着用後の顔円周部３と首部４への汚れは実施例より多く、繊維束表面と繊維間に汚れがあった。これを家庭洗濯機で同様な洗濯を行ったが、繊維束表面の汚れは軽減されたが、繊維間の汚れは残っていた。同様な着用と洗濯を繰り返し１０回テストしたが、汚れを落とすことができずに、繊維束Ａ−１８、および繊維束Ｂ−１９の表面と繊維間内部に汚れの蓄積が認められた。
【００２２】
（実施例２）
第２実施例に示す本発明のインナー衛生キャップ１として、頭部２にポリエステルネットと通気性のある綿織物を使用した。顔円周部３と首部４にはストレッチバック性のある図８に示すような開繊表面もつ編物を用いた。顔円周部３は実施例１とは異なり眉毛を覆うように装着した。開繊表面をもつトリコットは、ポリエステエスル繊維束５０ｄｔｅｘ、４８ｆｉｌで構成された。ゲージ数は２８、ウエール４５、コース４３のトリコットである。目付は１３２ｇ／ｍ２で、開繊表面は起毛機によりポリエステル繊維束を起毛して作成した。開繊表面の切断した立毛繊維がほとんどで、わずかであるがループ状立毛繊維も確認した。開繊表面の立毛繊維高さは０．５〜２ｍｍあり、平均１．２ｍｍ、立毛繊維太さは約１．０ｄｔｅｘ、立毛密度は９４本／ｍｍ２であった。ストレッチバック性は９７％であった。繊維の断面は丸形状である。この編物を顔円周部３と首部４用いた。顔周辺部３にはこの編物を２つ折りにして、開繊表面を表に幅３ｃｍで短冊状にして使用した。
【００２３】
この衛生キャップを作業女性が１日７時間で２日間着用した。着用後の顔円周部３と首部４へのファンデーションや眉墨などの化粧品などの汚れは僅かであった。これを家庭洗濯機で洗剤を用いて洗濯して乾燥した結果、汚れをきれいに落とすことができた。この着用と洗濯の繰り返しを１０回行ったが、汚れは蓄積することなくきれいに落とすことができた。
【００２４】
比較のために、頭部２に実施例と同じ布帛で、顔円周部３と首部４に開繊表面を持たない起毛前のトリコットを用いた衛生キャップについて同一条件にて着用洗濯を繰り返し１０回テストした。結果は汚れを落とすことができずに汚れが繊維束Ａ−１８と繊維束Ｂ−１９の表面と繊維間に蓄積していることが認められた。
【００２５】
（実施例３）
第３実施例に示す本発明のアウター衛生キャップ５として、頭部６とケープ１０に通気性のある綿ポリエステル混織物を使用し、庇部７にプラスチック芯をポリエステル布帛で被覆したものを使用した。さらに、顔円周部８と首部９に開繊表面をもったストレッチバック性のある編物を用いた。顔円周部８には、開繊表面をもつ編物を２つ折りして短冊状にしたものを用いた。この編物はポリエステエスル繊維束５６ｄｔｅｘ、３６ｆｉｌで構成され、ウレタン繊維は４４ｄｔｅｘである。ゲージ数２８はトリコットハーフである。目付は２５０ｇ／ｍ２で、開繊表面は起毛機によりポリエステル繊維束を起毛して作成した。開繊表面のループ状立毛繊維がほとんどで、わずかであるが切断した立毛繊維も確認した。開繊表面の立毛繊維高さは０．４〜１．２ｍｍあり、平均０．５ｍｍ、立毛繊維太さは約１．６ｄｔｅｘ、立毛密度は７１本／ｍｍ２であった。ストレッチバック性は９９％であった。繊維の断面は上記実施例１および２と同様に丸形状である。この編物を２つ折りにして開繊表面を表に幅３ｃｍで短冊状にして顔円周部８に使用した。
【００２６】
この衛生キャップをインナー衛生キャップの上に重ねて、作業女性が１日７時間で２日間着用した。着用後の顔円周部８と首部９へのファンデーションなど化粧品などの汚れは僅かであった。これを業者洗濯機で洗剤を用いて洗濯して乾燥した結果、汚れをきれいに落とすことができた。この着用と洗濯の繰り返しを２０回行ったが、汚れは蓄積することなくきれいに落とすことができた。特に、洗濯回数を増すごとに、汚れ付着が少なくなり、汚れが落ちやすくなる傾向にあった。比較品として、頭部６とケープ１０に実施品と同じ布帛を用い、顔円周部８と首部９に開繊表面を持たない起毛前の発明品と同じトリコットハーフを用いて同一条件にて着用した衛生キャップは、顔周囲部８と首部９にファンデーションなどの化粧品の汚れが多く付着した。これを業者洗濯機で洗濯繰り返し２０回テストした。結果は汚れを落とすことができずに、繊維束Ａ−１８と繊維束Ｂ−１９の表面と繊維間に汚れの蓄積が認められ、汚れが多く残った。
【００２７】
（実施例４）
第４実施例に示す本発明の店舗キャップ１１として、頭部１２に通気性がよいポリエステル織物を使用し、額部１３には実施例３の開繊表面を持つとともに、防汚加工したストレッチバック性のある編物を使用した。額部１３には開繊表面をもつ編物を２つ折りして短冊状にしたものを用いた。防汚加工は１０％ｏ．ｗ．ｆのポリオキシエチレン付加親水性ポリエステル樹脂中に開繊表面をもつ編物を浸漬させて、絞った後に乾燥キュア―処理した。本発明の店舗キャップ１１を２日間着用した結果、わずかにキャップ額部１３に化粧品などの汚れが付着した。これを家庭洗濯機で洗剤を用いて洗濯してところ、完全に汚れを落とすことができた。着用と洗濯を５回繰り返して汚れを観察したが、汚れの蓄積付着は認められず、清浄なキャップであった。洗濯を繰り返すと汚れが付き難く落ちやすい傾向にあった。
【００２８】
（実施例５）
第５実施例に示す発明の店舗キャスティング帽１４で、頭部１５には通気性の良いポリエステル／綿混織物を使用し、額部１６には実施例３に用いた起毛前のトリコットハーフを用いて、これに実施例４と同条件で処理した防汚加工したものを２つ折りにして使用した。庇部１７は芯材をポリエステル編物で覆ったものを使用した。本発明の店舗キャスティング帽１４を女性従業員が３日間着用した結果、僅かにキャップ額部１６にファンデーションなどの汚れが付いた。これを家庭洗濯機で洗剤を用いて洗濯したところ汚れは落ちた。その後、着用と洗濯を５回繰り返して汚れを観察したが、汚れの蓄積付着はなかった。
【符号の説明】
【００２９】
１  インナー衛生キャップ全体
２  頭部
３  顔周囲部
４  首部
５  アウター衛生キャップ全体
６  頭部
７  庇部
８  顔周囲部
９  首部
１０  ケープ
１１  店舗用衛生キャップ全体
１２  頭部
１３  額部
１４  店舗用キャスティング帽全体
１５  頭部
１６  額部
１７  庇部
１８  繊維束Ａ
１９  繊維束Ｂ
２０  繊維Ａ
２１  繊維Ｂ
２２  繊維束表面の汚れ
２３  繊維束内の繊維間の汚れ
２４  切断した立毛繊維
２５  ループ状立毛繊維
２６  立毛繊維に付着した汚れ  
【図１】
2020143392.tif 000003
【図２】
2020143392.tif 000004
【図３】
2020143392.tif 000005
【図４】
2020143392.tif 000006
【図５】
2020143392.tif 000007
【図６】
2020143392.tif 000008
【図７】
2020143392.tif 000009
【図８】
2020143392.tif 000010
【図９】
2020143392.tif 000011
【図１０】
2020143392.tif 000012
【図１１】
2020143392.tif 000013
【図１２】
2020143392.tif 000014